(57)【要約】アプリケーションマネージャと呼ばれるシステムにおいて、携帯式装置（１）は種々のローカルエリアネットワーク（ＬＡＮ）と接続することが可能である。携帯式装置において、局地ブラウザが実行されて、ローカルエリアネットワークにおいてベースユニット（３）の一部を介して局地情報サーバー（５）からブロードキャストされたメッセージをリッスンすることによってサービスが検出される。局地情報サーバーは、局地サービスを登録して、局地ブラウザからの自動要求があったときに、局地サービスのアドレス情報を提供する。アドレス情報は、インターネットを介して、アプリケーションの情報（アイコンファイルを含むグラフィック情報、アプリケーションの短い説明など）を含むサービスの一般情報をＨＴＴＰサーバー（９）から取得するために、局地ブラウザによって使用される。一般情報を受信したのちに、利用可能なサービスのシンボルが携帯式装置のディスプレイに表示される。ユーザーは、シングルクリックすることによってサービスにアクセスし、ローカルラウザは、シンボルがクリックされたアプリケーションのユーザー部分を自動的にダウンロードして、アプリケーションのプログラムの実行を開始する。この実行は一般に通信が必要なく、情報はユーザーが今いる場所に関する情報（時刻表情報または航空ダイヤ情報など）である。
2004535032.tif 000002
【特許請求の範囲】
【請求項１】
一般サービスネットワークと、ディスプレイを備えかつ前記一般サービスネットワークに接続している少なくとも１つの携帯式装置とを有する、情報を局地的に提供するためのシステムであって、
前記携帯式装置はローカルネットワークに接続するかまたはローカルネットワークを確立するための手段を有することと、
前記システムはローカルネットワークに接続するためまたはローカルネットワークを確立するために構成されている少なくとも１つの局地情報サーバーを有し、かつ前記携帯式装置と前記局地情報サーバーとは、前記ローカルネットワーク内で相互に接続可能なことと、
前記局地情報サーバーは前記局地情報サーバーの存在を示す信号を定期的に発信することと、
前記携帯式装置は、前記信号をリッスンし、前記信号が検出されたときにローカルネットワーク内の前記局地情報サーバーに接続するかまたは該局地情報サーバーとともにローカルネットワークを構成して、利用可能なサービスの情報にアクセスする方法のアドレス情報を前記局地情報サーバーから受信するために構成されていることと、
前記携帯式装置は、前記アドレス情報を受信したのちに、該アドレス情報を使用して、前記一般サービスネットワーク内で接続しているストレージ情報サーバーに接続し、前記ストレージ情報サーバーから利用可能なサービスの情報、特にグラフィック情報を取得するために構成されていることと、
前記携帯式装置は、取得した前記情報から得られ、各々が利用可能なサービスに関連付けられているシンボルをグラフィックとしてディスプレイに表示するために構成されていることと、
前記携帯式装置は、該携帯式装置のユーザーが前記ディスプレイに表示された前記シンボルのうちの１つをマークするか示したのちに、前記シンボルが関連付けられているサービスの、実行可能なプログラムを含むユーザー部分を前記一般サービスネットワークから取得し、前記ユーザー部分を前記携帯式装置のメモリに記憶して、前記ユーザー部分の実行可能なプログラムの実行を開始するために構成されていることとを特徴とするシステム。
【請求項２】
前記携帯式装置は、局地情報サーバーによって送信された信号を検出し、前記局地情報サーバーに接続したのちに、前記局地情報サーバーによって送信された信号をリッスンし続け、信号を最後に検出してから所定の時間間隔が経過したのちに、前記ストレージ情報サーバーから以前に取得した情報において利用可能であるとされたサービスのうちの少なくとも１つに関連するシンボルを、前記ディスプレイから削除し、前記ユーザー部分が前記メモリに記憶されている場合にこれを前記メモリから削除するために構成されていることを特徴とする請求項１に記載のシステム。
【請求項３】
前記取得された情報は前記利用可能なサービスの記述的情報、特に比較的短い情報をも含むことを特徴とする請求項１に記載のシステム。
【請求項４】
前記サービス情報サーバーは、前記情報、特にグラフィック情報および記述的情報の少なくとも一方と、前記利用可能なサービスの前記ユーザー部分とを記憶するための記憶手段を有することを特徴とする請求項１に記載のシステム。
【請求項５】
前記ローカルネットワークはＩＰネットワークであることと、前記一般サービスネットワークは前記インターネットであることの少なくともいずれかを特徴とする請求項１に記載のシステム。
【請求項６】
ディスプレイを備えかつ前記一般サービスネットワークに接続している少なくとも１つの携帯式装置に局地的に情報を提供する方法であって、
局地情報サーバーから前記局地情報サーバーの存在を示す信号を定期的に送信するステップと、
前記携帯式装置が前記局地情報サーバーから送信された信号を常にリッスンするステップと、
前記携帯式装置が、信号を検出したのちにローカルネットワーク内で前記局地情報サーバーに接続し、利用可能なサービスの情報にアクセスする方法のアドレス情報を前記局地情報サーバーから取得するステップと、
前記携帯式装置が、前記アドレス情報を受信したのちに前記アドレス情報を使用して前記一般サービスネットワーク内でストレージ情報サーバーに接続し、利用可能なサービスの情報、特にグラフィック情報を取得するステップと、
前記携帯式装置が、取得した前記情報から得られ、各々が利用可能なサービスに関連付けられているシンボルを前記携帯式装置のディスプレイにグラフィカルに表示するステップと、
前記携帯式装置が、前記携帯式装置のユーザーが前記ディスプレイに表示された前記シンボルのうちの１つをマークするか示したのちに、前記シンボルが関連付けられているサービスの、実行可能なプログラムを含むユーザー部分を前記ストレージ情報サーバーから取得し、前記携帯式装置のメモリにこれを記憶して、前記ユーザー部分の実行可能なプログラムの実行を開始するステップとを含むことを特徴とする方法。
【請求項７】
前記携帯式装置が、局地情報サーバーから送信された信号を検出して、前記局地情報サーバーに接続したのちに、前記局地情報サーバーによって送信された信号をリッスンし続けるステップと、
前記携帯式装置が、信号を最後に検出してから所定の時間間隔が経過したのちに、前記ストレージ情報サーバーから以前に取得した情報において利用可能であるとされたサービスのうちの少なくとも１つに関連するシンボルと、前記携帯式装置のメモリに記憶されている前記サービスに関連するユーザー部分が存在する場合はこのユーザー部分とを前記ディスプレイから削除するステップとをさらに含むことを特徴とする請求項６に記載の方法。
【請求項８】
前記携帯式装置が情報を取得する前記ステップにおいて、前記情報は利用可能なサービスの記述的情報を含んで取得されることを特徴とする請求項６に記載の方法。
【請求項９】
前記一般サービスネットワーク内で接続している前記サービス情報サーバーに情報、特にグラフィック情報および記述的情報の少なくとも一方と、前記利用可能なサービスの各々実行可能なプログラムを含む前記ユーザー部分とを記憶するステップをさらに含み、前記携帯式装置は前記サービス情報サーバーに記憶されている情報から前記情報を記憶する請求項６に記載の方法。
【発明の詳細な説明】
【技術分野】
【０００１】
本出願は、２００１年４月２７日に提出されたスウェーデン国特許出願第０１０１５２４−７号ならびに２００１年４月３０日に提出された米国仮特許出願第６０／２８６，９９２号に対する優先権および利益を主張する。これら出願の全開示は参照によりここに援用される。
【０００２】
本発明は、ユーザー装置、好ましくは地理的に移動可能な携帯式ユーザー装置、およびユーザー装置に局地的に情報を配信するシステムまたは情報をネットワークに局地的に配信するための方法に関する。
【背景技術】
【０００３】
レッド−エム（Ｒｅｄ−Ｍ）、アクシス（Ａｘｉｓ）、エイ  ブランド  ワールド（Ａ  Ｂｒａｎｄ  Ｎｅｗ  Ｗｏｒｌｄ）などのハードウェアの提供業者は、プラットフォームソフトウェアおよびアプリケーションを開送信している。しかし、この種の業者が提供するソリューションは、公共の場所にハードウェアソリューションを展開するために設計されたものであって、市場に発表するように設計されたものではなかった。
【発明の開示】
【発明が解決しようとする課題】
【０００４】
今日、ほとんどのハードウェアの提供業者がコンテンツを配信するために採用しているソリューションは、通常のウェブブラウザを介したものである。最も一般的には、公衆ＷＬＡＮのエリアに入ったときに、事業者が、ユーザーが使用している装置のブラウザを介してホームページをプッシュし、ユーザー装置のモニターにホームページを表示させる。ユーザー名およびパスワードを入力して、各事業者すなわち供給業者のネットワークにログインして、これらにアクセスする。次に、ユーザーは、自分の装置を使用して、その場所で利用可能なサービスを閲覧する。ユーザーは、別のホームページを閲覧して、単純なインタラクティブサービスを利用することができる。このサービスは、ユーザー部分として、ＪＡＶＡ（登録商標）プログラミング言語で記述されたアプレットを有する。この方法には多くの問題点がある。提供されるサービスは、ウェブブラウザのＪＡＶＡ解釈プログラムを介して実行されるアプレットという、非常に単純なプログラムに限られる。また、将来実現される可能性はあるものの、現在のところ、ＰＤＡ（個人情報端末）用のウェブブラウザでＪＡＶＡアプレットを実行することさえできない。
【０００５】
公開されている英国特許出願第２  ３２７  ５６４号は、局地的な情報をモバイル装置にワイヤレスで配信するためのシステムを開示している。このシステムは、ワイヤレスネットワーク、同ネットワークとインターネットとに接続された複数の基地局、インターネットに接続された複数のサーバーコンピュータシステム、および地理的に分散した送信器を有する。各送信器は、送信器が存在するエリアに関する情報を格納しているサーバーシステムのインターネットアドレスを含む信号を絶えず送信しており、各送信器が異なるインターネットアドレスを送信している。これらの信号を受信できるのは、送信器の近くに存在するモバイル装置だけである。モバイル装置は、受信したインターネットアドレスに対応するホームページを自動的に受信して、送信器が存在する地理的エリアに関連する情報を取得する。
【０００６】
公開されている英国特許出願第２  ３５２  ５８８号は、関心のある特定の項目に関連する情報の配信を開示している。ビーコンによって、インターネットアドレスを含み得る符号信号がワイヤレスで送信され、送信された信号の到達範囲は狭い。ビーコンの近傍に存在するモバイル装置が、この符号信号を受信して、Ｂｌｕｅｔｏｏｔｈ（登録商標）、ＵＭＴＳまたはＬＡＮなどのネットワークにおいて、インターネットなどに接続している基地局にサーバーを介してこの信号をワイヤレスで送信する。基地局は、受信したアドレスに対応するホームページを取得して、これをモバイル装置に送信し、モバイル装置のディスプレイにこのホームページが表示される。
【課題を解決するための手段】
【０００７】
本発明の目的は、ユーザーが情報を取得するために行なう手入力が必要最低限となるような簡単な方法によって、情報を局地的に提供するための方法を提供することにある。
また、本発明のもう１つの目的は、ユーザーに容易に情報（ユーザーが今居る地理的場所に関連または対応する局地情報など）を局地的に提供するためのシステムまたは配信ネットワークを提供することにある。
【０００８】
このように、一般的には、情報のローカル配信を簡単な方法で実現するために、本明細書においてアプリケーションマネージャと称するシステムまたは配信ネットワークが、Ｂｌｕｅｔｏｏｔｈネットワーク、ＷＬＡＮネットワークなどの多様なローカルエリアネットワーク（ＬＡＮ）、好ましくはＩＰベースのネットワークに設けられる。アプリケーションマネージャシステムは、サービスをみつけるためのブラウザ、局地サービスを登録する局地情報サーバー、アプリケーションの一般情報（アイコンファイル等のグラフィック情報、およびアプリケーションの短い説明など）をホスティングする少なくとも１つのサービス情報サーバー（本明細書では「ＨＴＴＰサーバー」と呼ぶこともある）、ブラウザにダウンロード可能なアプリケーションのユーザー部分を備える。
【０００９】
このように、上記システムは、好ましくはワイヤレスネットワークにおいてアプリケーションを配信する。適切な電子装置、好ましくは携帯式装置を所有するユーザーが、ローカルアプリケーションを利用可能な地理的制限が設けられたエリアに入ると、ユーザー装置のディスプレイにサービスを表すアイコンが自動的に表示される。ユーザー装置は、ＰＤＡまたは携帯電話機など、任意の適切な装置であってもよいが、ラップトップコンピュータ、デスクトップコンピュータであってもよい。続いて、ユーザーが各々のアイコンをクリックすると、アプリケーションが容易にダウンロードされる。
【００１０】
ユーザーがこのエリアの外に出ると、ディスプレイからアイコンが消え、ダウンロードしたサービスのユーザー部分が、ユーザー装置のメモリがら消去される。より詳細には、ユーザーにとって価値があり、場所に依存しないアプリケーションのユーザー部分などは、オンラインまたはオフラインで使用できるようにユーザー装置に恒久的に記憶させてもよい。ここで、オンラインとは、アプリケーションを実行するために、ユーザー装置がインターネットにあるサーバーと通信しなければならないことを指し、オフラインとは、サーバーと通信しなくともアプリケーションを実行できることを指す。また、その他のアプリケーションのユーザー部分をユーザー装置に恒久的に記憶させて、同じアプリケーションを利用できる同じエリアおよび別のエリアに入ったときに、アプリケーションを迅速に使用できるようにしてもよい。
【００１１】
上記システムは、６つの部分、つまり機能を有し、これらは全てが物理的に別個であってもよい。しかし、このうちの一部は、１つのサーバーまたはサーバー群で実行することも、別の部分に組み込むことができるものもある。このシステムは、真の「クリックして実行（ｃｌｉｃｋ  ａｎｄ  ｒｕｎ）」機能をユーザーに提供する。アイコンをシングルクリックすると、アプリケーションのユーザー部分がダウンロードされ実行される。時間と手間がかかる同期処理は必要ない。
【００１２】
局地ブラウザは、ユーザーがシステムを利用するためのインターフェイスを生成する。このインターフェイスは、アイコンを表示し、アプリケーションのユーザー部分をダウンロード、インストールおよび管理する機能を備えている。このインターフェイスは、適切な装置であればどのような装置でも実行することができ、典型的にはＰＤＡ、ポケットＰＣ（ＰｏｃｋｅｔＰＣ）、パーム（Ｐａｌｍ）コンピュータ、携帯電話機などのＪＡＶＡで記述されたプログラムコードを実行可能なワイヤレス対応装置で実行される。ユーザーが地理的エリアから出ると、局地ブラウザは、装置の少ないメモリ空間を節約するために不要なアプリケーションを削除することができる。
【００１３】
局地情報サーバー（ＬＩＳ）は、サービス情報サーバーとも呼ばれ、局所的に利用できるサービスに関する情報を保持および送信するソフトウェアを備える。この情報は、典型的にはＢｌｕｅｔｏｏｔｈプロトコルを使用するかまたはＷＬＡＮアクセスポイントを介してユーザーに送信される。
【００１４】
局地情報サーバーマネージャ（ＬＩＳＭ）は、更新された全ての局地情報サーバーを保持し、ＬＩＳで利用可能なサービスを管理するソフトウェアを備えている。
局地情報サーバーマネージャのグラフィカルユーザーインターフェイス（ＬＩＳＭ  ＧＵＩ）は、利用可能な局地情報サーバーと、局地情報サーバーを介して利用できるサービスとを表示する。このユーザーインターフェイスを使用して、管理者（ａｄｍｉｎｉｓｔｒａｔｏｒ）は、局地情報サーバーのサービスを追加および削除することができるようになる。ＬＩＳＭ  ＧＵＩは、ウェブブラウザ内のいずれでも実行することができる。
【００１５】
ＨＴＴＰサーバーは、ストレージ情報サーバーまたはサービスアプリケーションサーバーとも呼ばれ、利用可能なサービスのアイコンファイルおよび情報ファイルと、このアプリケーション（サービス）のユーザー部分とをホスティングするウェブサーバーである。ＨＴＴＰサーバーは、インターネットのどこに設置されていてもよい。
【００１６】
グローバル情報サーバー（ＧＩＳ）は、サービスサーバーとも呼ばれ、広い地理的エリアで利用可能なサービス、または世界のどこでも利用可能なサービスに関する情報を保持するサーバーである。
【００１７】
上記システムを使用してサービスを提供する代表的な団体または企業は、以下を行なうことができる。ホテルでは、このシステムを使用してチェックイン手続きの大半を実行することができる。メニューが表示されて、メニューから注文された項目とホテルの地図が表示される。レストランや喫茶店では、メニューを表示して、メニューから注文された品目を表示させるほか、セキュリティ保護された支払い処理を実行することさえ可能である。電車、地下鉄、旅客機の待合室などの公共交通機関では、時刻表情報と現在の交通情報とを表示させることができる。企業は、自社内で個人向けサービスの待ち時間に、ユーザー装置で実行できるゲームや、無料通話などの無料のサービスを自社の敷地内または構内に提供することができる。
【００１８】
上記システムの利点として、表示されているアイコンをシングルクリックすることでサービスを利用できる点が挙げられる。このため、局地情報を取得するために、サービスを探して、何回もクリック操作をし、ＵＲＬを書き留める必要がない。ユーザー個人に合わせて設定すること（パーソナライゼーション）も可能である。例えば、選択したサービスだけが表示されるように、ユーザーが局地ブラウザをカスタマイズすることができる。アプリケーションのユーザー部分をインストールする必要がない。このシステムは、ＪＡＶＡ言語が優先的に使用されるため、機種依存性がない。好適な実施形態においては、同システムは、多様なＩＰベースネットワーク（Ｂｌｕｅｔｏｏｔｈ、ＷＬＡＮ、ＨｉｐｅｒＬＡＮ、ＧＰＲＳ、ＵＭＴＳなど）において動作し得る。このシステムは、ユーザーに、決まった情報を記載したページを提供するのみならず、インタラクティブなサービスをも提供する。同システムは、オンラインサービスとオフラインサービスとの両者に対応している。
【００１９】
参照によりここに援用される上記の英国特許出願では、ワイヤレス装置で利用可能な情報は、ＵＲＬによって参照されるウェブページである。しかし、本明細書に記載のシステムは、ウェブページだけではなく、完全なアプリケーションの配信に利用される。アプリケーションは、シンボル部分とユーザー部分として記述されている。シンボルとは、アプリケーションに関する画像およびメタデータで、アプリケーションがユーザー装置にダウンロードされる前に、エンドユーザーにそのアプリケーションを提示するために使用される。ユーザー部分とは、実行可能な完全なスタンドアロンアプリケーションである。アプリケーションは、ＪＡＶＡアプリケーションのこともあれば、任意のオペレーティングシステムおよびハードウェアプラットフォームに特化したアプリケーション（ｎａｔｉｖｅ  ａｐｐｌｉｃａｔｉｏｎ）のこともある。
【００２０】
スタンドアロンアプリケーションとは、ワイヤレスユーザー装置で局地的に実行され、ブラウザまたは他のクライアントソフトウェアを必要とすることなく実行できるアプリケーションであり、オンラインで実行されることも、オフラインで実行されることもあり、ワイヤレス装置のオンボードの処理機能を利用する。ウェブページはオンラインでのみしか利用できない、すなわちインターネットに接続されたサーバーにユーザー装置が接続しているときにしか使用できないが、スタンドアロンアプリケーションは、インターネットに接続していない場合（インターネットの到達範囲外など）であってもオフラインで利用することができる。
【００２１】
スタンドアロンアプリケーションは、アーケード型のアクションゲーム、ワードプロセッサなど、ウェブページよりも遥かにインタラクティブであり得る。通常、オンライン接続を必要としないか、またはオンライン要求によって悪影響を受けるサービスは、スタンドアロンアプリケーションとして実装することができる。スタンドアロンアプリケーションの例に、モバイル従業員用の業務アプリケーション（ｐｒｏｄｕｃｔｉｖｉｔｙ  ａｐｐｌｉｃａｔｉｏｎ）およびゲームがある。
【００２２】
ワイヤレス装置でスタンドアロンアプリケーションを使用することによって得られる大きな利点として、ウェブページを閲覧するよりも、スタンドアロンアプリケーションを使用するほうが電力消費がずっと少ない点がある。ハンドヘルド式コンピュータでＷＬＡＮなどのワイヤレス通信を行なう際に大量の電力が消費されるとともに、ウェブページを使用する場合、閲覧中は常時接続している必要がある。スタンドアロンアプリケーションでは、接続が必要となるのは、アプリケーション本体をダウンロードするときだけである。これ以降は、通信リンクを一時停止させて、アプリケーションをオフラインで使用できる。
【００２３】
上記の特許出願では、ワイヤレスネットワークを介した無線通信に関する説明が記載されているが、本明細書のシステムの通信に使用する、ローカルエリアネットワークを介したＩＰトラフィックに関する記載はない。ＩＰマルチキャストを使用すれば、特定のワイヤレスネットワーク標準の無線インターフェイスを使用するのではなく、どのＩＰローカルエリアネットワーク上でも通信することができる。これによって、ソリューションが、ネットワークに依存しない（ａｇｎｏｓｔｉｃ）ものとなる。このため、ＢｌｕｅｔｏｏｔｈネットワークやＩＲネットワークだけではなく、ＩＰベースのデータ通信ネットワークであればどのようなものでも使用できる。また、上記の特許出願に記載されているようなカスタム組込ハードウェアを搭載した装置だけでなく、ワイヤレス装置であればどのようなものでもソリューションを実行できるという点も重要である。
【００２４】
このほかの相違点として、ネットワークを介して情報がダウンロードされる粒度（ｇｒａｎｕｌａｒｉｔｙ）が挙げられる。上記の特許出願では、ワイヤレス装置は、ローカル送信器から信号を受信したことに応答して情報へのアドレスを取得し、この情報が直ちに自動的にダウンロードされる。本明細書に記載のシステムにおいては、上記の特許出願と異なり、ワイヤレス装置は、現在のネットワークゾーンで利用可能なアプリケーションに関するメタ情報をダウンロードする。このため、アプリケーションが一度に全てダウンロードされるのではなく、ユーザーは、所望するもののみを選択して要求することができる。
【００２５】
本明細書に記載のシステムにおいては、貴重なメモリ空間を節約するために、アプリケーションがワイヤレス装置から自動的に消去され得る。しかし、このことは、ネットワークの到達範囲から外れた場合にネットワーク接続をクローズすることとは異なる。この機能は随意的なものであって、インターネットの到達範囲から外れた場合に、アプリケーションをオフラインで使用できるようにアプリケーションを記憶させておくことも可能であるが、これはウェブページでは不可能である。
【００２６】
第二に、この機能は、限られたメモリ資源を最大限に活用するのみならず、特定のネットワークゾーンにいなければエンドユーザーがアプリケーションを使用できないようなシステムを構築できるようになる。アプリケーションは、ユーザーがネットワークから出たときに自動的に削除されるため、喫茶店や空港のラウンジなどで、その場にいなければ使用できないアプリケーションを提供できるようになる。この方法は、オンサイトでのみ使用できるロイヤリティ（ｌｏｙａｌｔｙ）アプリケーションを提供するための便利な方法である。
【発明を実施するための最良の形態】
【００２７】
本発明の他の目的および利点は下記の詳細説明に記載しており、そのうちの一部は詳細説明から自明となるか、あるいは本発明を実施することによって明らかとなることもある。本発明の目的および利点は、添付の特許請求の範囲に詳細に記載されている方法、工程、手段およびこれらの組み合わせによって実現および達成され得る。
【００２８】
本発明の新規の特徴は、添付の特許請求の範囲に詳細に記載しているが、本発明の構成および内容のほか、下記の詳細説明を検討すれば、上記またはそれ以外の特徴が完全に理解され、本発明がよりよく理解される。下記の詳細説明は、添付の図面を参照して実施形態を記載しているが、これらは本発明を限定するものではない。
【００２９】
図１に示すシステムにおいては、ユーザーは、ローカルエリアネットワーク２、より詳細にはワイヤレスローカルエリアネットワークに対して接続および通信するための回路を備えた、ＰＤＡ１などの携帯式装置を所有している。この装置は、同じローカルエリアネットワークに接続しているベースユニット、すなわちアクセスポイント（ＡＰ）３からブロードキャストメッセージまたはマルチキャストメッセージを受信する。ベースユニットは、局地情報サーバー（ＬＩＳ）５と通信しており、ＬＩＳ５は代表的にはコンピュータであるか、論理上コンピュータで実行されるアプリケーションである。携帯式装置１とベースユニット３とは、インターネット７に対して接続および通信するための機能を備えており、携帯式装置は、好ましくは、電話通信用の基地局を少なくとも１つ有するアクセスネットワーク８を介してワイヤレス通信を行なうことができる。
【００３０】
また、インターネット７には、少なくとも１台のＨＴＴＰサーバー９、グローバル情報サーバー（ＧＩＳ）１１、少なくとも１つの局地情報サーバーマネージャ（ＬＩＳＭ）１３に接続されており、これらのサーバーは、物理的に少なくとも１台のコンピュータであるか、または論理上少なくとも１台のコンピュータで実行されるアプリケーションである。
【００３１】
典型的には、このシステムは複数のＬＩＳ５を有し、各々が自身のＡＰ３を少なくとも１つ有する。ＨＴＴＰサーバー９は、特定のＬＩＳか数個のＬＩＳに関連付けられたサービスを含み得る。このため、複数台のＨＴＴＰサーバーを適宜使用してもよい。
【００３２】
特別なプログラムであるローカルアプリケーションブラウザが、携帯式装置１で作動状態にあり、実行されているとする。ローカルアプリケーションブラウザは、ベースユニット３から送信されるブロードキャストメッセージまたはマルチキャストメッセージをリッスンしている。ローカルアプリケーションブラウザがブロードキャストメッセージを受信すると、ＬＩＳ５との接続を確立して、ＬＩＳ５からアドレス情報を取得し、インターネット７を介してＨＴＴＰサーバー９から関連のサービス情報とアイコン（正確を記するならばアイコンファイル）とをダウンロードする。アイコンファイルの情報は、図２に示すように、アイコンとしてユーザー装置のディスプレイに表示される。図２は、画面図で、「ＳＬ」、「Ｖｏｔｅ」などのアイコンが数個表示されている。ユーザーが携帯式装置のディスプレイに表示されたアイコンをクリックすると、表示かつクリックされたアイコンに関連するアプリケーションのユーザー部分が、インターネット７を介してＨＴＴＰサーバー９からダウンロードされる。このユーザー部分は、例えば、ＪＡＶＡで記述されたプログラムを含む。アプリケーションは、携帯式装置１で起動されて実行されるか、好ましくは自動的に起動されて実行される。ユーザー装置のローカルアプリケーションブラウザは、ベースユニット３が接続されているＬＡＮ２との接続を定期的に確認している。ＡＰから離れており、ワイヤレス通信を実施できない場所にユーザー装置が移動したなど、ＬＡＮとの接続が切れた場合は、ＡＰ３から受信したブロードキャストメッセージまたはマルチキャストメッセージに応えてダウンロードしたアイコンファイルに関連するアイコンが、携帯式装置１のディスプレイから消去される。また、対応するアプリケーションファイル、すなわちアプリケーションのユーザー部分がもしあれば、これも携帯式ユーザー装置のメモリから消去され得る。しかし、装置１は、一部のアプリケーションのファイルとアイコンとをメモリに保存して、ローカルエリアネットワーク２の外部でもこのアプリケーションを使用できるようにしてもよい。
【００３３】
ユーザーが、例えば、図２のアイコン「ＳＬ」をクリックすると、アプリケーションがダウンロードされて、図３に示した画面が生成され得る。ストックホルムの地下鉄の路線図が表示され、ユーザーは、マップをクリックするか路線図の下のフィールドに入力することにより、電車が駅を出発する時刻および別の駅に到着する時刻、乗換駅などの時刻表情報を取得することができる。アプリケーションの実行の際に、携帯式装置のプログラムは、サーバー、すなわちアプリケーションに関連付けられ、インターネット７に接続しているＧＩＳ１１から情報を要求および取得することができる。
【００３４】
ＬＩＳ５は、ローカルネットワークで利用可能なサービスに関する情報を保持している。ＬＩＳ５は、ＡＰ３を介してマルチキャストメッセージを送信して、サービスが存在することを通知する。このメッセージには、アドレスとして示したＬＩＳの場所が含まれる。ＬＩＳ５は、新たなサービスに関する情報をＬＩＳＭ１３から受け取る。装置１が、ブロードキャストメッセージまたはマルチキャストメッセージを受信することによってＬＩＳ５を発見すると、ＬＡＮ２のＬＩＳに接続して、利用可能なサービスに関する情報を依頼する要求をＬＩＳに送信する。この要求を受けて、利用可能なサービスに関する情報が携帯式装置に送信される。
【００３５】
システムで使用される装置の機能またはシステムでの一般的な機能を手短に説明する。
ＰＤＡまたはＪＡＶＡ対応電話などの携帯式装置１は、小型のプログラムであるローカルアプリケーションブラウザを実行している。局地ブラウザは、次の作業を実行する。
【００３６】
１．  局地ブラウザは、ＬＡＮ２への一般的なワイヤレスインターフェイスを介して、ＬＩＳ５からのマルチキャストメッセージをリッスンおよび受信する。局地ブラウザは、メッセージを受信すると、メッセージの発信元のＬＩＳに接続して、ＬＩＳで使用可能なアプリケーションの適切なアドレスなどの情報を取得する。具体的には、局地ブラウザは、インターネットでのサービスの場所を示す情報を格納しているサービスリストを受信する。各リストオブジェクトは、サービスをホスティングするＨＴＴＰサーバー９のＩＰアドレスとサービスの名前とを格納している。
【００３７】
２．  局地ブラウザは、各アプリケーションに対して、それぞれのＨＴＴＰサーバー９に接続して、アプリケーションに関する記述的情報を取得する。この情報には、．ｘｍｌ形式のファイル、アプリケーションのアイコン情報（典型的には小さなビットマップファイル）などが含まれる。アプリケーションは、装置１のディスプレイにアイコンを表示し、要求があればアプリケーションに関する情報を表示する。具体的には、サービスの記述的情報ファイルは、サービスの完全な名前、サービスの説明などを含み得る。アイコンファイルは、．ｊｐｇ形式または．ｇｉｆ形式のグラフィック情報ファイルであり得る。
【００３８】
３．  表示されているアイコンがクリックされると、局地ブラウザは、対応するアプリケーションの実行可能ファイル、好ましくは．ｊａｒ形式のファイルが既に取得されているかどうかを判定する。ファイルが取得されてない場合、または記憶されているプログラムが最新のものよりも古い場合、局地ブラウザは、各ＨＴＴＰサーバーに再度接続して、アプリケーションをダウンロードする。次に局地ブラウザは、プログラムファイルの実行を開始する。
【００３９】
４．  局地ブラウザは、ＬＩＳに接続すると、ＬＩＳに接続しているＡＰ５が送信するマルチキャストメッセージを受信できるかどうかを定期的に確認する。受信できない場合、所定の時間（２．５秒など）の後に、局地ブラウザが以前にＬＩＳ５からアドレス情報を受信したアプリケーションに関連する可能性のあるアイコン、情報およびアプリケーションを削除する。また、受信したマルチキャストパッケージのセッション番号を確認して、セッション番号が、ユーザー装置に記憶されているセッション番号と異なるかどうかを確認する。セッション番号が異なると判定された場合、局地ブラウザは、新しいサービスリストを送信するように依頼する要求をＬＩＳに送信する。局地ブラウザは、ＬＩＳ５に接続したのちに、同様に各ＨＴＴＰサーバー９と通信して、新しいリストにある全ての新しいサービスのアイコンおよび情報ファイルを取得する。
【００４０】
ＬＩＳ５は、ＬＡＮに接続されるか、または同様のＬＡＮ（Ｂｌｕｅｔｏｏｔｈピコネットなど）を形成することが可能である。
ＬＩＳ５は次の機能を有する。
【００４１】
１．  ＬＩＳ５は、ＬＩＳ５に接続されたＡＰ３を介して、ＬＩＳ５のアドレス、ポート、セッション番号（典型的には［１９３．１０．３９：１：０］などのシーケンスである）が含まれるメッセージを連続的あるいは定期的（１秒毎など）にマルチキャストまたはブロードキャストする。詳細には、ＬＩＳ５は、局地ブラウザをインストールおよび実行しているリッスン中の装置に、ＩＰアドレス、ポート番号、セッション番号を含むＩＰマルチキャストパケットを定期的に送信し得る。マルチキャストパケットは、好ましくはＢｌｕｅｔｏｏｔｈアクセスポイント、およびＷＬＡＮアクセスポイントの少なくともいずれかを介して送信される。また、メッセージが、その他のワイヤレスネットワークおよび有線ＩＰネットワークを介して送信されることもある。マルチキャストパケットのセッション番号から、リッスン中の装置は、利用可能なサービスが変更されたことを知ることができる。
【００４２】
２．  ＬＩＳ５は、携帯式装置１から接続要求を受信すると、携帯式装置１に接続して、現在ＬＩＳに登録されているサービスに関する情報、すなわち局所的に利用できるサービスのリストを送信する。このリストは、ＡＰ３によってカバーされ、かつユーザー装置が今いるエリアに応じて作成されたものである。
【００４３】
３．  ＬＩＳ５は、利用可能なアプリケーションの最新情報をＬＩＳＭ１３から受信する。
４．  ＬＩＳ５は、インターネット７を介してＨＴＴＰサーバー９に制御コマンドを送信することによって利用可能なアプリケーションを定期的に確認し、対応する登録済みサービス情報オブジェクトに、そのアプリケーションが現在利用可能であるかどうかを示す。
【００４４】
５．  ＬＩＳ５は、実行を開始するときに、ＬＩＳＭ１３にＬＩＳ５のＩＰアドレスを通知する。
ＬＩＳＭ１３は、インターネット７に接続されているサーバーで実行されているアプリケーション、すなわちインターネット７で実行されているプログラムであって、ＬＩＳＭに接続しているウェブブラウザで実行することができるグラフィカルユーザーインターフェイス（ＧＵＩ）１５を備える。サービス提供業者は、このＧＵＩによって、接続している全ＬＩＳ５のリストを参照することができるほか、ＬＩＳ５の状態情報の一部を参照することができる。リストの各行には、その行に記載されたＬＩＳに接続している全ＡＰのサブリストが表示され得る。各ＡＰ３に関して、当該ＡＰで利用可能なアプリケーションをサブリスト表示することができる。また、このＧＵＩでは、各ＡＰで実行されるアプリケーションを追加または削除することができる。
【００４５】
ＬＩＳＭ１３のタスクには以下のものがある。
１．  ＬＩＳＭ１３は、要求があったときに、ＬＩＳ５からアプリケーションベクトルを受信する。
【００４６】
２．  ＬＩＳＭ１３は、必要なときに、すなわちＧＵＩで更新されたときに、アプリケーションベクトルをＬＩＳに送信する。
３．  ＬＩＳＭ１３は、ＬＩＳＭに接続しているＬＩＳＭ  ＧＵＩの入力装置を介して、ＬＩＳで利用可能になるアプリケーションに関するサーバー情報を、サービス提供業者から受信し、その情報をＬＩＳに送信する。
【００４７】
ＨＴＴＰサーバー９は、ストレージ情報サーバーとも呼ばれ、インターネット７に接続されており、次のタスクを実行する。
１．  ＨＴＴＰサーバー９は、サービス提供業者によって管理されている、システムにおいて利用可能なアプリケーションの基本情報を記憶する。
【００４８】
２．  ＨＴＴＰサーバー９は、ユーザーの携帯式装置１から要求があると、アプリケーションに関する短い情報または基本情報を含むファイルのほか、．ｇｉｆ形式、．ｊｐｇ形式、．ｐｎｇ形式などのアイコンファイルを送信する。
【００４９】
３．  ＨＴＴＰサーバー９は、ユーザーの携帯式装置１から要求があると、アプリケーションのユーザー側プログラムを含む実行可能ファイル（プログラムファイル）を送信する。このファイルは、好ましくは．ｊａｒ（圧縮ＪＡＶＡプログラムコード）形式のファイルである。
【００５０】
局地ブラウザに含まれるルーチンまたはクラスを、セクションに論理的に集めたものを図４に示す。リッスン関連機能は、セクション４１のＬｉｓｔｅｎＦｏｒＬＩＳで実行され、クラスｌｉｓｔｅｎＦｏｒＬＩＳ（）で実行されるスレッドを有する。２つのベクトル、ＬＩＳｉｐとＬＩＳＣｏｎｎｅｃｔｉｏｎｓが、検出されたＬＩＳの情報とＬＩＳに関する追加情報とを保持し、これらＬＩＳの各々に対して接続が確立される。検出された各ＬＩＳに対して、セクション（スレッド）４３、ＬＩＳＣｏｎｎｅｃｔｉｏｎが入力される。これは、ベクトルＬＩＳｉｐから取得されたベクトルアドレス情報ＩｎｅｔＡｄｄｒｅｓｓと、各ＬＩＳが通知した利用可能なサービスのリストを有するベクトル、ＬＩＳｓｅｒｖｉｃｅｓとを使用する。クラスｌｉｓｔｅｎＦｏｒＬＩＳ（）において、各ＬＩＳに対するリッスンが行なわれ、ＬＩＳが送信したマルチキャストパケットを受信できるかどうかが監視される。クラスｇｅｔＬｏｃａｌＳｅｒｖｉｃｅｓ（）において、ＬＩＳに対する接続が確立されて、利用可能なサービスのリストが受信される。
【００５１】
代表例を記載する。ユーザーが繁華街を歩いている場合を考える。このユーザーは、空腹を感じたのでＭｃＤｏｎａｌｄｓに入る。店内に入ると、ＭｃＤｏｎａｌｄｓの「ｍ」というアイコンが表示される。空いている席をみつけて座り、このアイコンをクリックする。局地ブラウザはアプリケーションをダウンロードして起動する。このアプリケーションは、ＭｃＤｏｎａｌｄｓのメニューを表示する。このユーザーは注文したい品目を選択して、「注文（ｏｒｄｅｒ）」を押す。サーバーアプリケーションはこの注文を登録して、ユーザーに注文した料理が確実に届けられるようにする。
【００５２】
料理が来るのを待っている間に、ユーザーは、ＭｃＤｏｎａｌｄｓに入店したときに表示されたほかのアイコンをクリックする。「ＭｃＤｏｎａｌｄｓ  Ｎｅｗｓ」アプリケーションでニュースを読んだり、娯楽用の「ハンバーガー掴み」ゲームをプレイしたり、地元の交通機関案内アプリケーションを使用して美術館への交通手段を調べる。また、ストックホルムに滞在している間、地元の交通機関案内アプリケーションをオフラインで使用するできるようにこれを保存する。
【００５３】
別例として、ユーザーがホテルに到着した場合を考える。フロントに入ると、局地ブラウザに「チェックイン」のアイコンが表示される。このアイコンを押すと、直ちにアプリケーションがダウンロードされ、インストールされて起動される。このユーザーは、名前およびパスワードを入力し、この入力が完了すると部屋のキーコードを受信する。地図アプリケーションを使用して、部屋を移動し、パブに座る。パブのメニューアイコンをクリックして、電子メールのメッセージを読んでいる間に飲むための飲み物を注文する。
【００５４】
本明細書において本発明の特定の実施形態を示して記載したが、種々の付加的な利点、変更および変化が容易に当業者によって想到され得ることが理解される。このため、本発明は広い態様においては、特定の詳細、個々の装置および記載した例に限定されない。したがって、添付の特許請求の範囲に定義された本発明の概念またはその均等物の精神または範囲から逸脱することなく、種々の変更を行なうことが可能である。このため添付の特許請求の範囲は、本発明の真の精神および範囲に該当するすべての変更を含むことを意図している。
【図面の簡単な説明】
【００５５】
【図１】情報を局地的に提供するためのシステムを示す一般的なブロック図。
【図２】利用可能なサービスを示すアイコンの、ユーザー装置のディスプレイの画面イメージ。
【図３】ユーザーがトラフィック情報を取得できる、地下鉄の路線図を示す図２と同様のイメージ。
【図４】ユーザー装置で実行される局地ブラウザのクラス図。
【図５】ローカルネットワーク内で実行される局地情報サーバーのクラス図。
【図６】ウェブサーバー内で実行される局地情報サーバーマネージャとそのグラフィカルインターフェイスのクラス図。
【図７】情報を局地的に提供するためのシステムの別の実施形態において送信されるメッセージを示す図６と同様の図。
【図８】図７のシステムのユニットで使用されるベクトルおよびクラスを示す図。
【図９】図７のシステムのユーザー装置で実行される局地ブラウザのベクトルおよびクラスを示す詳細図。
【図１０】図７のシステムの局地情報サーバーのベクトルおよびクラスを示す詳細図。
【図１１】図７のシステムのＨＴＴＰ情報サーバーのベクトルおよびクラスを示す詳細図。
【図１２】図７のシステムの一般情報サーバーによって提供されるサービスを示す詳細図。
【図１】
2004535032.tif 000003
【図５】
2004535032.tif 000004
【図７】
2004535032.tif 000005
【図９】
2004535032.tif 000006
【図１０】
2004535032.tif 000007
【図１１】
2004535032.tif 000008
【図１２】
2004535032.tif 000009
【国際公開パンフレット】
2004535032.tif 000010
2004535032.tif 000011
2004535032.tif 000012
2004535032.tif 000013
2004535032.tif 000014
2004535032.tif 000015
2004535032.tif 000016
2004535032.tif 000017
2004535032.tif 000018
2004535032.tif 000019
2004535032.tif 000020
2004535032.tif 000021
2004535032.tif 000022
2004535032.tif 000023
2004535032.tif 000024
2004535032.tif 000025
2004535032.tif 000026
2004535032.tif 000027
2004535032.tif 000028
2004535032.tif 000029
2004535032.tif 000030
2004535032.tif 000031
2004535032.tif 000032
【手続補正書】
【提出日】平成15年3月28日(2003.3.28)
【手続補正１】
【補正対象書類名】特許請求の範囲
【補正対象項目名】全文
【補正方法】変更
【補正の内容】
【特許請求の範囲】
【請求項１】
情報を局地的に提供するためのシステムであって、
ディスプレイとローカルネットワークに接続するための手段とを備えた携帯式装置と、
ローカルネットワークに接続するためまたはローカルネットワークを確立するために構成されている少なくとも１つの局地情報サーバーと、前記携帯式装置と前記局地情報サーバーとは、前記ローカルネットワーク内で相互に接続可能なことと、
前記局地情報サーバーは前記局地情報サーバーの存在を示す信号を定期的に発信するために構成されていることと、
前記携帯式装置は、前記信号をリッスンし、前記信号が検出されたときにローカルネットワーク内の前記局地情報サーバーに接続して、利用可能なサービスにアクセスする方法のアドレス情報を前記局地情報サーバーから受信するために構成されていることと、前記利用可能なサービスの各々はユーザー部分と、情報、特にそのサービスのグラフィック情報を有する情報部分とを有することと、
前記携帯式装置は、前記アドレス情報を受信したのちに、該アドレス情報を使用して、一般サービスネットワーク内で接続しているストレージ情報サーバーに前記ローカルネットワークを介して接続し、前記ストレージ情報サーバーから前記情報、特に前記利用可能なサービスのグラフィック情報を取得するために構成されていることと、
前記携帯式装置は、取得した前記情報から得られ、各々が利用可能なサービスに関連付けられているシンボルをグラフィックとしてディスプレイに表示するために構成されていることと、
前記携帯式装置は、該携帯式装置のユーザーが前記ディスプレイに表示された前記シンボルのうちの１つをマークするか示したのちに、前記シンボルが関連付けられているサービスの、実行可能なプログラムを含むユーザー部分を前記ローカルネットワークを介して前記一般サービスネットワークから取得し、前記ユーザー部分を前記携帯式装置のメモリに記憶して、前記ユーザー部分の実行可能なプログラムを自動的にインストールし、実行を開始するするために構成されていることとを特徴とするシステム。
【請求項２】
前記携帯式装置は、局地情報サーバーによって送信された信号を検出し、前記局地情報サーバーに接続したのちに、前記局地情報サーバーによって送信された信号をリッスンし続け、信号を最後に検出してから所定の時間間隔が経過したのちに、前記ストレージ情報サーバーから以前に取得した情報において利用可能であるとされたサービスのうちの少なくとも１つに関連するシンボルを、前記ディスプレイから自動的に削除し、前記ユーザー部分を前記メモリから自動的に削除するために構成されていることを特徴とする請求項１に記載のシステム。
【請求項３】
前記取得された情報は前記利用可能なサービスの記述的情報、特に比較的短い情報をも含むことを特徴とする請求項１または２に記載のシステム。
【請求項４】
前記ストレージ情報サーバーは、前記情報、特にグラフィック情報および記述的情報の少なくとも一方と、前記利用可能なサービスの前記ユーザー部分とを記憶するための記憶手段を有すること特徴とする請求項１〜３のいずれか１項に記載のシステム。
【請求項５】
前記ローカルネットワークはＩＰベースのネットワークであることを特徴とする請求項１〜４のいずれか１項に記載のシステム。
【請求項６】
前記局地情報サーバーは、前記局地情報サーバーの存在を示す信号をマルチキャストまたはブロードキャストメッセージを介して前記ローカルネットワーク内で定期的に送信するために構成されていることを特徴とする請求項５に記載のシステム。
【請求項７】
前記利用可能なサービスは前記携帯式装置の現在の地理的場所に関連付けられていることを特徴とする請求項１〜６のいずれか１項に記載のシステム。
【請求項８】
前記利用可能なサービスはネットワークゾーンによって決まることを特徴とする請求項１〜７のいずれか１項に記載のシステム。
【請求項９】
前記携帯式装置は定期的に送信される信号をリッスンして、単一のアクセスポイントまたはベースユニットを介して前記ストレージ情報サーバーに接続するために構成されていることを特徴とする請求項１〜８のいずれか１項に記載のシステム。
【請求項１０】
前記ローカルネットワークはローカルエリアネットワーク（ＬＡＮ）、特にワイヤレスローカルエリアネットワーク（ＷＬＡＮ）またはＢｌｕｅｔｏｏｔｈネットワークであることを特徴とする請求項１〜９のいずれか１項に記載のシステム。
【請求項１１】
ディスプレイを備える少なくとも１つの携帯式装置に局地的に情報を提供する方法であって、
局地情報サーバーから前記局地情報サーバーの存在を示す信号を定期的に送信するステップと、
前記携帯式装置が前記局地情報サーバーから送信された信号を常にリッスンするステップと、
前記携帯式装置が、信号を検出したのちにローカルネットワーク内で前記局地情報サーバーに接続し、各々がユーザー部分とそのサービスの情報、より詳細にはグラフィック情報を含む情報部分とを含む利用可能なサービスにアクセスする方法のアドレス情報を前記局地情報サーバーから取得するステップと、
前記携帯式装置が、前記アドレス情報を受信したのちに、該アドレス情報を使用して前記ローカルネットワークを介して一般サービスネットワークおよびその中のストレージ情報サーバーに接続し、前記利用可能なサービスの情報、特にグラフィック情報をそこから取得するステップと、
前記携帯式装置が、取得した前記情報から得られ、各々が利用可能なサービスに関連付けられているシンボルを前記携帯式装置のディスプレイにグラフィカルに表示するステップと、
前記携帯式装置が、前記携帯式装置のユーザーが前記ディスプレイに表示された前記シンボルのうちの１つをマークするか示したのちに、前記シンボルが関連付けられているサービスの、実行可能なプログラムを含むユーザー部分を前記ストレージ情報サーバーから取得し、前記携帯式装置のメモリにこれを記憶して、前記ユーザー部分の実行可能なプログラムを自動的にインストールし、実行を開始するステップとを含むことを特徴とする方法。
【請求項１２】
前記携帯式装置が、局地情報サーバーから送信された信号を検出して、前記局地情報サーバーに接続したのちに、前記局地情報サーバーによって送信された信号をリッスンし続けるステップと、
前記携帯式装置が、信号を最後に検出してから所定の時間間隔が経過したのちに、前記ストレージ情報サーバーから以前に取得した情報において利用可能であるとされたサービスのうちの少なくとも１つに関連するシンボルを前記ディスプレイから自動的に削除して、前記携帯式装置のメモリに記憶されている前記サービスに関連するユーザー部分を自動的に削除するステップとをさらに含むことを特徴とする請求項１１に記載の方法。
【請求項１３】
前記携帯式装置が情報を取得する前記ステップにおいて、前記情報は前記利用可能なサービスの記述的情報を含むことを特徴とする請求項１１または１２に記載の方法。
【請求項１４】
前記一般サービスネットワーク内で接続している前記ストレージ情報サーバーに情報、特にグラフィック情報および記述的情報の少なくとも一方と、前記利用可能なサービスの前記ユーザー部分とを記憶するステップをさらに有する請求項１１〜１３のいずれか１項に記載の方法。
【請求項１５】
前記局地情報サーバーは、前記局地情報サーバーの存在を示す信号をマルチキャストまたはブロードキャストメッセージを介して前記ローカルネットワーク内で定期的に送信する請求項１１〜１４のいずれか１項に記載の方法。
【請求項１６】
前記利用可能なサービスは前記携帯式装置の現在の地理的場所に関連付けられている請求項１１〜１５のいずれか１項に記載の方法。
【請求項１７】
前記携帯式装置は定期的に送信される信号をリッスンして、単一のアクセスポイントまたはベースユニットを介して前記ストレージ情報サーバーに接続する請求項１１〜１６のいずれか１項に記載の方法。
【請求項１８】
前記ローカルネットワークはローカルエリアネットワーク（ＬＡＮ）、特にワイヤレスローカルエリアネットワーク（ＷＬＡＮ）またはＢｌｕｅｔｏｏｔｈネットワークである請求項１１〜１７のいずれか１項に記載の方法。
【国際調査報告】
2004535032.tif 000033
2004535032.tif 000034
2004535032.tif 000035